(57)【特許請求の範囲】
【請求項１】
チューナで受信された番組の記録媒体への記録を制御する情報処理装置において、
所定の通信方式にしたがい、前記情報処理装置と通信可能な他の装置を検出し、検出された前記他の装置の前記チューナの有無及び使用可否の情報を取得する通信手段と、
前記記録媒体に記録される番組の候補である記録候補番組のリストを記憶する記憶手段と、
前記リストの前記記録候補番組の１つである所定記録候補番組の記録開始時刻となったときに、前記他の装置が有する前記チューナと、自身が前記チューナを有している場合には自身のチューナをも含む全てのチューナのなかで、前記所定記録候補番組の記録に使用するチューナがあるか否かを判定して、前記所定記録候補番組の記録を実行するか否かを決定する決定手段と、
前記所定記録候補番組の記録を実行すると決定された場合に、前記所定記録候補番組の前記記録媒体への記録を実行させる記録制御手段と
を備える情報処理装置。
【請求項２】
前記決定手段は、記録時間帯の少なくとも一部が前記所定記録候補番組と重複する他の前記記録候補番組が前記リストにある場合、重複している前記記録候補番組の数と、前記全てのチューナのなかの、記録に使用可能なチューナの数とを比較して、前記所定記録候補番組の記録に使用するチューナがあるか否かを判定する
請求項１に記載の情報処理装置。
【請求項３】
前記リストには、前記記録候補番組それぞれの優先度が少なくとも含まれており、
前記決定手段は、重複している前記記録候補番組の数が、記録に使用可能なチューナの数より多い場合、さらに、前記所定記録候補番組の優先度を判定し、前記所定記録候補番組の記録を実行するか否かを決定する
請求項２に記載の情報処理装置。
【請求項４】
前記所定の通信方式は、DLNA（Digital Living Network Alliance）ガイドラインに基づく通信である
請求項１に記載の情報処理装置。
【請求項５】
新たな前記記録候補番組である新規記録候補番組を前記リストに登録する登録処理を制御する登録制御手段と
をさらに備え、
前記登録制御手段は、前記新規記録候補番組の記録時間帯の少なくとも一部が、前記リストの前記記録候補番組の記録時間帯と重複し、かつ、重複している前記記録候補番組の数が前記チューナの数より多い場合、警告を報知して、前記新規記録候補番組を前記リストに登録する
請求項１に記載の情報処理装置。
【請求項６】
新たな前記記録候補番組である新規記録候補番組を前記リストに登録する登録処理を制御する登録制御手段と
をさらに備え、
前記登録制御手段は、前記新規記録候補番組の記録時間帯の少なくとも一部が、前記リストの前記記録候補番組の記録時間帯と重複し、かつ、重複している前記記録候補番組の数が前記チューナの数より多い場合、前記新規記録候補番組を前記リストに登録しない
請求項１に記載の情報処理装置。
【請求項７】
チューナで受信された番組の記録媒体への記録を制御する情報処理装置の情報処理方法において、
所定の通信方式にしたがい、前記情報処理装置と通信可能な他の装置を検出し、検出された前記他の装置の前記チューナの有無及び使用可否の情報を取得し、
前記記録媒体に記録される番組の候補である記録候補番組のリストの前記記録候補番組の１つである所定記録候補番組の記録開始時刻となったときに、前記他の装置が有する前記チューナと、自身が前記チューナを有している場合には自身のチューナをも含む全てのチューナのなかで、前記所定記録候補番組の記録に使用するチューナがあるか否かを判定して、前記所定記録候補番組の記録を実行するか否かを決定し、
前記所定記録候補番組の記録を実行すると決定された場合に、前記所定記録候補番組の前記記録媒体への記録を実行させる
ステップを含む情報処理方法。
【請求項８】
チューナで受信された番組の記録媒体への記録を制御する処理をコンピュータに実行させるプログラムにおいて、
所定の通信方式にしたがい、前記情報処理装置と通信可能な他の装置を検出し、検出された前記他の装置の前記チューナの有無及び使用可否の情報を取得し、
前記記録媒体に記録される番組の候補である記録候補番組のリストの前記記録候補番組の１つである所定記録候補番組の記録開始時刻となったときに、前記他の装置が有する前記チューナと、自身が前記チューナを有している場合には自身のチューナをも含む全てのチューナのなかで、前記所定記録候補番組の記録に使用するチューナがあるか否かを判定して、前記所定記録候補番組の記録を実行するか否かを決定し、
前記所定記録候補番組の記録を実行すると決定された場合に、前記所定記録候補番組の前記記録媒体への記録を実行させる
ステップを含むプログラム。
【発明の詳細な説明】
【技術分野】
【０００１】
本発明は、情報処理装置および方法、並びにプログラムに関し、特に、使用可能なチューナを有効に利用する情報処理装置および方法、並びにプログラムに関する。
【背景技術】
【０００２】
近年、放送番組（を構成する映像信号と音声信号）を記録（録画）したり、再生することが可能な記録再生装置、例えば、ハードディスクレコーダ等の普及が著しい。また、放送番組を受信するチューナが複数あって、同時に複数の放送番組の録画が可能なものもある（例えば、特許文献１参照）。
【０００３】
このような記録再生装置では、放送番組の録画予約をするための情報として、放送番組の番組情報、例えば、いわゆるEPG（Electronic Program Guide）情報などが利用される（例えば、特許文献２および３参照）。
【０００４】
図１は、１つのチューナを内蔵する従来の記録再生装置における録画予約処理のフローチャートである。
【０００５】
ユーザが、例えば、記録再生装置のリモートコントローラを操作して、予約を所望する放送番組の日付および時刻（以下、適宜、録画時刻という）、チャンネルなどを入力すると、ステップＳ１１において、記録再生装置は、予約の重複がないか、即ち、入力された録画時刻（録画時間帯）において既に録画が予約されている他の放送番組がないか否かを判定する。
【０００６】
そして、ステップＳ１１で、予約の重複がないと判定された場合、ステップＳ１２に進み、記録再生装置は、入力された放送番組を登録し、処理を終了する。即ち、記録再生装置は、入力された録画時刻、チャンネルなどを記憶させ、その時刻になったら指定されたチャンネルの放送番組を録画するように設定する。
【０００７】
一方、ステップＳ１１で、予約の重複があると判定された場合、ステップＳ１３に進み、記録再生装置は、入力された放送番組について、予約ができない旨のエラーメッセージを表示させて処理を終了する。
【０００８】
このようにして予約された放送番組（録画予約番組）の録画は、図２のフローチャートに示す処理により実行される。即ち、ステップＳ２１において、記録再生装置は、録画予約番組の録画開始時刻となったか否かを判定し、録画開始時刻となるまで待機する。
【０００９】
そして、ステップＳ２１で、録画予約番組の録画開始時刻となったと判定された場合、ステップＳ２２に進み、録画予約番組の録画を開始する。その後、記録再生装置は、設定された録画終了時刻（放送終了時刻）になったら、録画を終了する。
【００１０】
図３は、２つのチューナを内蔵する従来の記録再生装置における録画予約処理のフローチャートである。
【００１１】
即ち、ユーザが、例えば、記録再生装置のリモートコントローラを操作して、予約を所望する放送番組の日付および時刻、チャンネルなどを入力すると、ステップＳ３１において、記録再生装置は、入力された放送番組の放送時間帯に未使用のチューナがあるか、即ち、入力された録画時間帯において、内蔵する２つのチューナがともに他の録画予約番組に予約されていないかを判定する。
【００１２】
そして、ステップＳ３１で、未使用のチューナがあると判定された場合、ステップＳ３２に進み、記録再生装置は、入力された放送番組を登録し、処理を終了する。即ち、記録再生装置は、入力された録画時刻、チャンネルなどとともに、使用するチューナを記憶させ、その時刻になったら指定されたチャンネルの放送番組、設定したチューナを使用して録画するように設定する。
【００１３】
一方、ステップＳ３１で、未使用のチューナがないと判定された場合、即ち、入力された放送番組の放送時間帯に２つのチューナがともに使用される予定である場合、ステップＳ３３に進み、記録再生装置は、入力された放送番組について、予約ができない旨のエラーメッセージを表示させて処理を終了する。
【００１４】
以上のように、従来の記録再生装置では、内蔵されているチューナが１つまたは２つのいずれの場合でも、放送番組の予約を行う時点で、その放送時間帯にチューナが空いているかどうかを判定している。
【００１５】
ところで、近年、パーソナルコンピュータにも、チューナを搭載したものが普及してきている。また、外付け型のチューナや、ボードタイプ（PCカード）のチューナも多数製品化されており、既にチューナが内蔵されているパーソナルコンピュータであっても、チューナを増設して、同時に複数の放送番組を録画することができるようにさせることもできる。
【００１６】
【特許文献１】特開平９−９１９３号公報
【特許文献２】特開２００１−３１３８７８号公報
【特許文献３】特開２００１−８１２２号公報
【発明の開示】
【発明が解決しようとする課題】
【００１７】
上述したような、使用可能なチューナの数が変化するような状況を想定した場合、図１および図３に示したような従来の録画予約処理では、効率のよい放送番組の録画（記録）ができないことがある。
【００１８】
即ち、録画を所望する放送番組の予約を行う時点では、録画に使用するチューナがないが、後からチューナが増設されるなどして、その放送時間帯に使用可能なチューナが実際にはあったとしても、録画を行わない（行えない）ということが生じる。
【００１９】
本発明は、このような状況に鑑みてなされたものであり、使用可能なチューナを有効に利用することができるようにするものである。
【課題を解決するための手段】
【００２０】
本発明の一側面の情報処理装置は、チューナで受信された番組の記録媒体への記録を制御する情報処理装置において、所定の通信方式にしたがい、前記情報処理装置と通信可能な他の装置を検出し、検出された前記他の装置の前記チューナの有無及び使用可否の情報を取得する通信手段と、前記記録媒体に記録される番組の候補である記録候補番組のリストを記憶する記憶手段と、前記リストの前記記録候補番組の１つである所定記録候補番組の記録開始時刻となったときに、前記他の装置が有する前記チューナと、自身が前記チューナを有している場合には自身のチューナをも含む全てのチューナのなかで、前記所定記録候補番組の記録に使用するチューナがあるか否かを判定して、前記所定記録候補番組の記録を実行するか否かを決定する決定手段と、前記所定記録候補番組の記録を実行すると決定された場合に、前記所定記録候補番組の前記記録媒体への記録を実行させる記録制御手段とを備える。
【００２１】
前記決定手段には、記録時間帯の少なくとも一部が前記所定記録候補番組と重複する他の前記記録候補番組が前記リストにある場合、重複している前記記録候補番組の数と、前記全てのチューナのなかの、記録に使用可能なチューナの数とを比較させて、前記所定記録候補番組の記録に使用するチューナがあるか否かを判定させることができる。
【００２２】
前記リストには、前記記録候補番組それぞれの優先度が少なくとも含まれており、前記決定手段には、重複している前記記録候補番組の数が、記録に使用可能なチューナの数より多い場合、さらに、前記所定記録候補番組の優先度を判定させ、前記所定記録候補番組の記録を実行するか否かを決定させることができる。
【００２３】
前記所定の通信方式は、DLNA（Digital Living Network Alliance）ガイドラインに基づく通信とすることができる。
【００２４】
新たな前記記録候補番組である新規記録候補番組を前記リストに登録する登録処理を制御する登録制御手段とをさらに設け、前記登録制御手段には、前記新規記録候補番組の記録時間帯の少なくとも一部が、前記リストの前記記録候補番組の記録時間帯と重複し、かつ、重複している前記記録候補番組の数が前記チューナの数より多い場合、警告を報知させて、前記新規記録候補番組を前記リストに登録させることができる。
【００２５】
新たな前記記録候補番組である新規記録候補番組を前記リストに登録する登録処理を制御する登録制御手段とをさらに設け、前記登録制御手段には、前記新規記録候補番組の記録時間帯の少なくとも一部が、前記リストの前記記録候補番組の記録時間帯と重複し、かつ、重複している前記記録候補番組の数が前記チューナの数より多い場合、前記新規記録候補番組を前記リストに登録しないようにさせることができる。
【００２６】
本発明の一側面の情報処理方法は、チューナで受信された番組の記録媒体への記録を制御する情報処理装置の情報処理方法において、所定の通信方式にしたがい、前記情報処理装置と通信可能な他の装置を検出し、検出された前記他の装置の前記チューナの有無及び使用可否の情報を取得し、前記記録媒体に記録される番組の候補である記録候補番組のリストの前記記録候補番組の１つである所定記録候補番組の記録開始時刻となったときに、前記他の装置が有する前記チューナと、自身が前記チューナを有している場合には自身のチューナをも含む全てのチューナのなかで、前記所定記録候補番組の記録に使用するチューナがあるか否かを判定して、前記所定記録候補番組の記録を実行するか否かを決定し、前記所定記録候補番組の記録を実行すると決定された場合に、前記所定記録候補番組の前記記録媒体への記録を実行させるステップを含む。
【００２７】
本発明の一側面のプログラムは、チューナで受信された番組の記録媒体への記録を制御する処理をコンピュータに実行させるプログラムにおいて、所定の通信方式にしたがい、前記情報処理装置と通信可能な他の装置を検出し、検出された前記他の装置の前記チューナの有無及び使用可否の情報を取得し、前記記録媒体に記録される番組の候補である記録候補番組のリストの前記記録候補番組の１つである所定記録候補番組の記録開始時刻となったときに、前記他の装置が有する前記チューナと、自身が前記チューナを有している場合には自身のチューナをも含む全てのチューナのなかで、前記所定記録候補番組の記録に使用するチューナがあるか否かを判定して、前記所定記録候補番組の記録を実行するか否かを決定し、前記所定記録候補番組の記録を実行すると決定された場合に、前記所定記録候補番組の前記記録媒体への記録を実行させるステップを含む。
【００２８】
本発明の一側面においては、所定の通信方式にしたがい、情報処理装置と通信可能な他の装置を検出し、検出された前記他の装置のチューナの有無及び使用可否の情報を取得し、記録媒体に記録される番組の候補である記録候補番組のリストの前記記録候補番組の１つである所定記録候補番組の記録開始時刻となったときに、前記他の装置が有する前記チューナと、自身が前記チューナを有している場合には自身のチューナをも含む全てのチューナのなかで、前記所定記録候補番組の記録に使用するチューナがあるか否かが判定され、前記所定記録候補番組の記録を実行するか否かが決定された場合に、前記所定記録候補番組の前記記録媒体への記録が実行される。
【発明の効果】
【００２９】
本発明の一側面によれば、使用可能なチューナを有効に利用することができる。
【発明を実施するための最良の形態】
【００３０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３１】
本発明の一側面の情報処理装置は、第１に
チューナで受信された番組の記録媒体への記録を制御する情報処理装置（例えば、図４のコンテンツ記録再生装置１）において、
所定の通信方式にしたがい、前記情報処理装置と通信可能な他の装置を検出し、検出された前記他の装置の前記チューナの有無及び使用可否の情報を取得する通信手段（例えば、図６の通信部２９）と、
前記記録媒体に記録される番組の候補である記録候補番組のリストを記憶する記憶手段（例えば、図１１の記憶部２８）と、
前記リストの前記記録候補番組の１つである所定記録候補番組の記録開始時刻となったときに、前記他の装置が有する前記チューナと、自身が前記チューナを有している場合には自身のチューナをも含む全てのチューナのなかで、前記所定記録候補番組の記録に使用するチューナがあるか否かを判定して、前記所定記録候補番組の記録を実行するか否かを決定する決定手段（例えば、図１１の判定部２１２）と、
前記所定記録候補番組の記録を実行すると決定された場合に、前記所定記録候補番組の前記記録媒体への記録を実行させる記録制御手段（例えば、図１１の録画制御部２１３）と
を備える。
【００３３】
本発明の一側面の情報処理装置は、第２に、
新たな前記記録候補番組である新規記録候補番組を前記リストに登録する登録処理を制御する登録制御手段（例えば、図１１のユーザ登録部２０１）と
をさらに備え、
前記登録制御手段は、前記新規記録候補番組の記録時間帯の少なくとも一部が、前記リストの前記記録候補番組の記録時間帯と重複し、かつ、重複している前記記録候補番組の数が前記チューナの数より多い場合、警告を報知して、前記新規記録候補番組を前記リストに登録する。
【００３４】
本発明の一側面（第１の側面）の情報処理方法またはプログラムは、
チューナで受信された番組の記録媒体への記録を制御する情報処理装置の情報処理方法、または、チューナで受信された番組の記録媒体への記録を制御する処理をコンピュータに実行させるプログラムにおいて、
所定の通信方式にしたがい、前記情報処理装置と通信可能な他の装置を検出し、検出された前記他の装置の前記チューナの有無及び使用可否の情報を取得し、
前記記録媒体に記録される番組の候補である記録候補番組のリストの前記記録候補番組の１つである所定記録候補番組の記録開始時刻となったときに、前記他の装置が有する前記チューナと、自身が前記チューナを有している場合には自身のチューナをも含む全てのチューナのなかで、前記所定記録候補番組の記録に使用するチューナがあるか否かを判定して、前記所定記録候補番組の記録を実行するか否かを決定し（例えば、図１３のステップＳ１０３）、
前記所定記録候補番組の記録を実行すると決定された場合に、前記所定記録候補番組の前記記録媒体への記録を実行させる（例えば、図１３のステップＳ１０９）ステップを含む情報処理方法。
【００３５】
以下、図を参照して、本発明の実施の形態について説明する。
【００３６】
図４は、本発明を適用した情報処理システムの一実施の形態の構成例を示している。
【００３７】
図４の情報処理システムは、パーソナルコンピュータなどで構成されるコンテンツ記録再生装置（情報処理装置）１、外部チューナ２、ノートPC（Personal Computer）３、およびネットワーク４により構成されている。
【００３８】
コンテンツ記録再生装置（情報処理装置）１、外部チューナ２、およびノートPC３は、あるユーザの自宅内に設置されており、ネットワーク４によるホームネットワークが構築されている。
【００３９】
コンテンツ記録再生装置１は、チューナ（図示せず）を内蔵し、チューナで受信した放送番組を録画（記録）する。なお、本実施の形態において、放送番組を録画（記録）するとは、放送番組を構成する映像信号または音声信号を録画することを表し、放送番組を供給するとは、放送番組を構成する映像信号または音声信号を供給することを表す。
【００４０】
また、コンテンツ記録再生装置１は、チューナの有無、およびチューナを使用中か否かを、ノートPC３や外部チューナ２にネットワーク４を介して問い合わせ、ノートPC３や外部チューナ２がチューナを有し、使用可能な場合には、それらで受信された放送番組を受信し、録画することもできる。
【００４１】
外部チューナ２は、放送局から地上波または衛星波などにより送信された、放送番組に対応する電波を受信し、接続先の装置、即ち、コンテンツ記録再生装置１に放送番組を送信する。
【００４２】
ノートPC３は、携帯型のパーソナルコンピュータであり、ユーザが必要に応じて、自宅外に持ち出して使用することがある。ノートPC３は、チューナ（図示せず）を内蔵しており、チューナにより受信した放送番組を、内蔵する記録媒体に記録させる（録画する）。また、ノートPC３は、自身がチューナを使用していない場合で、ネットワーク４を介して接続されているコンテンツ記録再生装置１から要求があった場合には、自身の内蔵するチューナで受信した放送番組を、コンテンツ記録再生装置１に供給する。
【００４３】
ネットワーク４は、例えば、IEEE(The Institute of Electrical and Electronic Engineers)1394，Ethernet（登録商標）やUSB（Universal Serial Bus）等で接続された通信網である。なお、ネットワーク４は、有線に限定されず、IEEE802.11a，802.11b、および802.11gなどの無線LAN（Local Area Network）、またはBluetooth等、無線で相互に接続されていてもよい。
【００４４】
以上のように構成される情報処理システムでは、コンテンツ記録再生装置１が、ユーザによって登録（予約）された放送番組を、内蔵するチューナで受信し、録画する。また、コンテンツ記録再生装置１は、自身のチューナが使用できない場合、ネットワーク４で接続されている外部チューナ２やノートPC３にチューナがあるかどうか、また使用可能かどうかを問い合わせ、使用可能な場合には、外部チューナ２またはノートPC３で受信された放送番組を録画する。
【００４５】
なお、コンテンツ記録再生装置１と、外部チューナ２またはノートPC３との間のやりとりには、例えば、ホームネットワークとして相互に接続されているデジタルAV（Audio / Video）機器やパーソナルコンピュータが、デジタルコンテンツをやりとりするための仕様であるDLNA（Digital Living Network Alliance）ガイドラインに基づく通信（後述する）が採用される。
【００４６】
図５は、コンテンツ記録再生装置１のハードウエア構成例を示すブロック図である。
【００４７】
図５に示されるように、コンテンツ記録再生装置１においては、主制御部１１とコンテンツ記録部１３とがネットワーク１２を介して相互に接続されている。
【００４８】
なお、ネットワーク１２の形態は特に限定されず、例えば、Ethernet（登録商標）等で構成することが可能である。また、ネットワーク１２は省略可能である。即ち、主制御部１１とコンテンツ記録部１３とは、ネットワーク１２を介在することなく、バスなどで接続されていてもよい。
【００４９】
主制御部１１とコンテンツ記録部１３のそれぞれの詳細なハードウエア構成例が、図６と図７のそれぞれに示されている。そこで、以下、図６と図７のそれぞれを参照して、主制御部１１とコンテンツ記録部１３のそれぞれの詳細なハードウエア構成例についてその順番で個別に説明していく。
【００５０】
はじめに、図６を参照して、主制御部１１のハードウエア構成例について説明する。
【００５１】
図６の主制御部１１において、CPU（Central Processing Unit）２１は、ROM（Read Only Memory）２２に記憶されているプログラム、または記憶部２８からRAM（Random Access Memory）２３にロードされたプログラムに従って各種の処理を実行する。RAM２３にはまた、CPU２１が各種の処理を実行する上において必要なデータなども適宜記憶される。
【００５２】
CPU２１、ROM２２、およびRAM２３は、バス２４を介して相互に接続されている。このバス２４にはまた、入出力インタフェース２５も接続されている。
【００５３】
入出力インタフェース２５には、キーボード、マウス、リモートコントローラ（受光部含む）などよりなる入力部２６、スピーカ、ディスプレイなどよりなる出力部２７、ハードディスクなどより構成される記憶部２８、並びに、ネットワーク４または１２を介して他のブロック（コンテンツ記録部１３や外部チューナ２など）と通信を行う通信部２９が接続されている。例えば、通信部２９は、外部チューナ２やノートPC３と、DLNAガイドラインに基づく通信を行う。
【００５４】
入出力インタフェース２５にはまた、必要に応じてドライブ３０が接続され、磁気ディスク、光ディスク、光磁気ディスク、或いは半導体メモリなどのリムーバブル記録媒体３１が適宜装着され、それらから読み出されたコンピュータプログラムが、必要に応じて記憶部２８にインストールされる。
【００５５】
なお、主制御部１１のハードウエアの構成は、図６の例に限定されず、後述する図１１の機能的構成を少なくとも有していれば、任意のハードウエア構成でよい。
【００５６】
次に、図７を参照して、コンテンツ記録部１３のハードウエア構成例について説明する。
【００５７】
図７のコンテンツ記録部１３において、CPU４１は、ROM４２に記憶されているプログラムに従って各種の処理を実行する。或いは、CPU４１は、図５の主制御部１１からネットワーク１２を介して送信されてきたプログラムを、ネットワーク通信制御部４８とバス４７とを介して受信してRAM４３にロードする。そして、CPU４１は、そのプログラムに従って各種の処理を実行することもある。RAM４３にはまた、CPU４１が各種の処理を実行する上において必要なデータなども適宜記憶される。
【００５８】
CPU４１、ROM４２、およびRAM４３は、バス４４を介して相互に接続されている。このバス４４にはまた、コンテンツ取得部４５、および、HDD（Hard Disk Drive）４６が接続されている。
【００５９】
コンテンツ取得部４５は、複数の放送局から同時間帯に放送される各放送番組（コンテンツ）のそれぞれを同時に受信（取得）できるように構成されている。図７の例では、コンテンツ取得部４５は、例えば、３つの放送局のそれぞれから放送される３つの放送番組を同時に受信できるように構成されている。即ち、コンテンツ取得部４５には、３つのチューナユニット５０−１乃至５０−３が設けられており、チューナユニット５０−１には、チューナ５１−１、A/D変換（Analog to Digital変換）部５２−１、および、エンコーダ５３−１が設けられている。また、チューナユニット５０−２には、チューナ５１−２、A/D変換部５２−２、および、エンコーダ５３−２が設けられている。同様に、チューナユニット５０−３には、チューナ５１−３、A/D変換部５２−３、および、エンコーダ５３−３が設けられている。
【００６０】
３つのチューナユニット５０−１乃至５０−３それぞれは、コンテンツ記録部１３（コンテンツ記録再生装置１）から脱着が可能となされており、例えば、チューナユニット５０−１はコンテンツ記録再生装置１に元々装着されていたものであり、チューナユニット５０−２および５０−３は、後からユーザによりコンテンツ記録再生装置１に装着されたものである。なお、コンテンツ記録再生装置１には、少なくとも１つのチューナユニットが常時装着されていることとする。
【００６１】
以下において、３つのチューナユニット５０−１乃至５０−３それぞれを個々に区別する必要がない場合、チューナユニット５０と称する。また、３つのチューナ５１−１乃至５１−３、３つのA/D変換部５２−１乃至５２−３、または３つのエンコーダ５３−１乃至５３−３のそれぞれを個々に区別する必要がない場合も、同様に、チューナ５１、A/D変換部５２、またはエンコーダ５３と称する。
【００６２】
チューナ５１は、図示せぬアンテナで受信された地上波または衛星波の放送番組の電波を復調し、その結果得られる映像信号と音声信号をA/D変換部５２に供給する。
【００６３】
即ち、CPU４１により指定されたチャンネルの電波、より正確には、そのチャンネルが割り当てられた放送局から放送された放送番組を構成する電波がアンテナに受信されると、チューナ５１は、それを復調して、その結果得られるアナログの映像信号と音声信号をA/D変換部５２に供給する。
【００６４】
A/D変換部５２は、チューナ５１から供給されたアナログの映像信号と音声信号に対してA/D変換を施し、その結果得られるデジタルの映像信号と音声信号をエンコーダ５３に供給する。なお、以下、A/D変換部５２から出力されるデジタル信号、即ち、所定の放送番組を構成するデジタルの映像信号と音声信号とをまとめて、コンテンツデータと称する。
【００６５】
エンコーダ５３は、A/D変換部５２から供給されるコンテンツデータを、例えばMPEG（Moving Picture Experts Group）２方式でエンコード（圧縮符号化）し、CPU４１に供給する。なお、以下、エンコーダ５３から出力されるエンコード済みのコンテンツデータを、圧縮コンテンツデータと称する。
【００６６】
CPU４１は、エンコーダ５３−１乃至エンコーダ５３−３のそれぞれから供給される圧縮コンテンツデータを、ファイル形式でHDD４６に記憶させる。
【００６７】
HDD４６は、放送番組（に対応する圧縮コンテンツデータ）を記録（記憶）する。また、HDD４６には、これから放送される、または、録画された放送番組の番組情報（メタデータ）も記憶される。
【００６８】
なお、本実施の形態では、これから放送される放送番組の番組情報は、ネットワーク４に接続される他のサーバ（図示せず）から供給されるとする。ただし、番組情報の取得方法は、本実施の形態の例に限定されず任意の方法でよい。例えば、受信された地上波のテレビジョン放送信号の垂直ブランキング期間から番組情報を抽出したり、受信された衛星波のテレビジョン放送信号から抽出してもよい。
【００６９】
ところで、CPU４１はまたバス４７に接続されており、このバス４７にはまたネットワーク通信制御部４８が接続されている。ネットワーク通信制御部４８は、ネットワーク１２を介して他のブロック（図５の例では、主制御部１１）と通信する通信処理を制御する。
【００７０】
なお、コンテンツ記録部１３のハードウエアの構成は、図７の例に限定されず、後述する図１１の機能的構成を少なくとも有していれば、任意のハードウエア構成でよい。
【００７１】
また、上述した例では、コンテンツ記録再生装置１（コンテンツ記録部１３）に搭載されるチューナユニット５０の台数を３台としたが、コンテンツ記録再生装置１に搭載されるチューナユニット５０の台数は、上述した例に限定されず任意の台数でよい。また、チューナユニット５０の搭載場所も特に限定されず、例えば、主制御部１１内に任意の台数のチューナユニット５０が搭載されてもよい。
【００７２】
以上、図５乃至図７を参照して、コンテンツ記録再生装置１のハードウエア構成例について説明した。
【００７３】
図８は、外部チューナ２のハードウエア構成例を示すブロック図である。
【００７４】
CPU７１、ROM７２、およびRAM７３は、バス７４を介して相互に接続されている。このバス７４にはまた、チューナ部７５およびネットワーク通信制御部７６も接続されている。
【００７５】
CPU７１は、ROM７２に記憶されているプログラムに従って各種の処理を実行する。或いは、CPU７１は、ネットワーク４を介して送信されてきたプログラムを、ネットワーク通信制御部７６とバス７４とを介して受信してRAM７３にロードする。そして、CPU７１は、そのプログラムに従って各種の処理を実行することもある。RAM７３にはまた、CPU７１が各種の処理を実行する上において必要なデータなども適宜記憶される。
【００７６】
チューナ部７５は、上述したチューナユニット５０と同様に、チューナ８１、A/D変換部８２、およびエンコーダ８３を有している。チューナ部７５は、放送局から送信された放送番組の電波を、アンテナを介して受信、復調し、MPEG２方式でエンコードして得られる、放送番組に対応する圧縮コンテンツデータを、CPU７１に出力する。
【００７７】
チューナ８１、A/D変換部８２、またはエンコーダ８３のそれぞれの機能は、上述したコンテンツ記録部１３のチューナ５１、A/D変換部５２、およびエンコーダ５３とそれぞれ同様であるので、その説明を省略する。
【００７８】
ネットワーク通信制御部７６は、DLNAガイドラインが規定するプロトコルに従って通信を行う。例えば、ネットワーク通信制御部７６は、コンテンツ記録再生装置１から送信されてきたコマンドを受信してCPU７１に供給するとともに、CPU７１から供給されたコマンドや圧縮コンテンツデータをコンテンツ記録再生装置１に送信する。
【００７９】
以上のように構成される外部チューナ２では、CPU７１が、図４のコンテンツ記録再生装置１からの要求に応じて、指定されたチャンネルの放送番組をチューナ部７５で取得し、コンテンツ記録再生装置１に送信（供給）する。
【００８０】
図９は、ノートPC３のハードウエア構成例を示すブロック図である。
【００８１】
図９のノートPC３において、CPU１０１は、ROM１０２、または記憶部１０８に記憶されているプログラムに従って各種の処理を実行する。RAM１０３には、CPU１０１が実行するプログラムやデータなどが適宜記憶される。これらのCPU１０１、ROM１０２、およびRAM１０３は、バス１０４により相互に接続されている。
【００８２】
CPU１０１にはまた、バス１０４を介して入出力インタフェース１０５が接続されている。入出力インタフェース１０５には、キーボード、マウス、マイクロホンなどよりなる入力部１０６、LCD(Liquid Crystal display)などよりなるディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【００８３】
入出力インタフェース１０５に接続されている記憶部１０８は、例えばハードディスクからなり、CPU１０１が実行するプログラムや各種のデータを記憶する。通信部１０９は、ネットワーク４を介して接続された外部の装置と通信する。例えば、通信部１０９は、CPU１０１から供給されたコマンドや圧縮コンテンツデータを、DLNAガイドラインが規定するプロトコルにしたがって図４のコンテンツ記録再生装置１に送信する。
【００８４】
チューナ部１１０は、外部チューナ２のチューナ部７５（図８）と同様に、放送局から送信された放送番組の電波を、アンテナを介して受信、復調し、MPEG２方式でエンコードして得られる、放送番組に対応する圧縮コンテンツデータを、CPU１０１に出力する。
【００８５】
入出力インタフェース１０５に接続されているドライブ１１１は、磁気ディスク、光ディスク、光磁気ディスク、或いは半導体メモリなどのリムーバブル記録媒体１２１が装着されたとき、それらを駆動し、そこに記録されているプログラムやデータなどを取得する。取得されたプログラムやデータは、必要に応じて記憶部１０８に転送され、記憶される。また、プログラムやデータは、通信部１０９を介して取得され、記憶部１０８に記憶されてもよい。
【００８６】
以上のように構成されるノートPC３は、ユーザの自宅にある場合、ネットワーク４に接続される。そして、ノートPC３は、図４のコンテンツ記録再生装置１からの要求に応じて、指定されたチャンネルの放送番組をチューナ部１１０で取得し、コンテンツ記録再生装置１に送信（供給）する。
【００８７】
次に、図１０を参照して、コンテンツ記録再生装置１、外部チューナ２、およびノートPC３が行う、DLNAガイドラインが規定するプロトコルによる通信について説明する。
【００８８】
DLNAガイドラインは、サーバ側のDMS(Digital Media Server)と、機器制御GUI(Graphical User Interface)を持つクライアント側のDMP(Digital Media Player)からなるIP(Internet Protocol)ベースの相互接続仕様である。
【００８９】
DMPは、UPnP(Universal Plug&Play)メディアサーバコントロールポイント機能によって、DMSを検索、発見し、DMS側がどのような機能を有しているかを確認（発見）する。また、DMPは、発見されたDMS(機器)の一覧をGUIに表示することができる。
【００９０】
さらに、DMPは、DMSを制御して、DMSからコンテンツ情報を取得し、取得したコンテンツの一覧をGUIに表示することができる。DMSは、DMPからのコンテンツの検索の要求に応答し、コンテンツ情報を送信する。
【００９１】
ユーザは、DMPのGUIに表示されたコンテンツの一覧を確認し、所望のコンテンツを選択すると、DMPのHTTP (HyperText Transfer Protocol)クライアントアプリケーションが“HTTP-Get”コマンドをDMSのHTTPサーバアプリケーションに送信し、DMSのHTTPサーバアプリケーションは、コンテンツデータをHTTPクライアントアプリケーションに送信する。
【００９２】
本実施の形態では、図１０のDMPがコンテンツ記録再生装置１に相当し、DMSが外部チューナ２またはノートPC３に相当する。
【００９３】
即ち、本実施の形態では、コンテンツ記録再生装置１が、外部チューナ２やノートPC３を検索し、発見する。そして、コンテンツ記録再生装置１は、外部チューナ２やノートPC３がチューナを有している（放送番組を受信する機能を有している）ことを確認（発見）する。
【００９４】
さらに、コンテンツ記録再生装置１は、必要に応じて、外部チューナ２やノートPC３が有しているチューナが空いているか（使用可能であるか）どうかをコンテンツ情報として取得する。また、コンテンツ記録再生装置１は、放送番組のチャンネルなどを指定して、コンテンツデータを要求するコマンド（HTTP-Get）を送信し、それに応じて返信されてくる放送番組の圧縮コンテンツデータを受信する。
【００９５】
なお、コンテンツ記録再生装置１において、主制御部１１とコンテンツ記録部１３とが、ネットワーク１２ではなく、バスによって接続されている場合には、主制御部１１は、チューナユニット５０の脱着、および、チューナが空いているか（使用可能であるか）どうかについての情報を、デバイスを管理しているオペレーションシステムからの通知により、認識することができる。
【００９６】
次に、図１１を参照して、図４の情報処理システムにおいて、放送番組の録画処理が行われる場合の、コンテンツ記録再生装置１、外部チューナ２、およびノートPC３の機能的構成について説明する。
【００９７】
なお、外部チューナ２とノートPC３とは、ハードウエア構成が異なるものの、コンテンツ記録再生装置１に対しては同一の機能を実行するものであるため、図１１では、外部チューナ２を図示し、ノートPC３の図示を省略している。
【００９８】
また、コンテンツ記録再生装置１の主制御部１１のハードウエア構成が上述した図６に示されるとおりであるので、ユーザ登録部２０１、自動登録部２０２、および録画実行制御部２０３のそれぞれは、例えば、上述した図６のCPU２１が実行するアプリケーションソフトウエアとして構成される。勿論、主制御部１１のハードウエア構成を上述した図６とは異なる構成とすることで、ユーザ登録部２０１、自動登録部２０２、および録画実行制御部２０３のそれぞれは、ハードウエア単体として構成することもできるし、ソフトウエアとハードウエアの組合せとして構成することもできる。
【００９９】
同様に、コンテンツ記録再生装置１のコンテンツ記録部１３のハードウエア構成が上述した図７に示されるとおりであるので、チューナ管理部２２１および録画制御部２２２のそれぞれは、例えば、図７のCPU４１が実行するアプリケーションソフトウエアとして構成される。勿論、コンテンツ記録部１３のハードウエア構成を上述した図７とは異なる構成とすることで、チューナ管理部２２１および録画制御部２２２のそれぞれは、例えば、ハードウエア単体として構成することもできるし、ソフトウエアとハードウエアの組合せとして構成することもできる。
【０１００】
さらに、外部チューナ２のハードウエア構成が上述した図８に示されるとおりであるので、チューナ管理部２４１は、例えば、図８のCPU７１が実行するアプリケーションソフトウエアとして構成される。勿論、外部チューナ２のハードウエア構成を上述した図８とは異なる構成とすることで、チューナ管理部２４１は、例えば、ハードウエア単体として構成することもできるし、ソフトウエアとハードウエアの組合せとして構成することもできる。
【０１０１】
なお、ノートPC３では、外部チューナ２のチューナ管理部２４１は、図９のCPU１０１が実行するアプリケーションソフトウエアとして構成され、外部チューナ２のチューナ部７５は、チューナ部１１０に対応する。
【０１０２】
図１１の主制御部１１において、ユーザ登録部２０１は、録画（記録）を所望する放送番組を録画候補番組リストに登録する登録処理を制御する。即ち、ユーザ登録部２０１は、録画を登録（予約）するときの録画登録画面を出力部２７のディスプレイに表示させる。そして、ユーザが、その録画登録画面を見て、録画を所望する放送番組（のチャンネルおよび放送日時など）を入力部２６で入力する。ユーザ登録部２０１は、入力部２６から供給された放送番組を録画候補番組（記録候補番組）として記憶部２８の録画候補番組リスト（記録候補番組のリスト）に記憶させる。
【０１０３】
なお、ユーザが録画登録画面を見て、録画を所望する放送番組を入力する操作は、従来の放送番組の録画予約の操作に相当するが、次の点で、従来の放送番組の録画予約の操作と異なる。即ち、従来では、録画予約の操作をしている時点で、入力された放送番組の録画が可能かどうか（入力された放送番組を受信するチューナが空いているかどうか）を確認したが、コンテンツ記録再生装置１による録画予約の操作では、そのような確認を、録画予約の時点では行わない。換言すれば、ユーザにより指定された放送番組は、無条件で記憶部２８の録画候補番組リストに記憶させる（登録する）。
【０１０４】
したがって、記憶部２８の録画候補番組リストに記憶された録画予定の放送番組のなかでは、互いに放送時間帯が重複し、録画が不可能なものも含まれている可能性がある。その意味で、ユーザにより指定された放送番組は、録画の候補とされる放送番組である。このような理由から、本実施の形態では、予約操作時にユーザ登録部２０１がディスプレイに表示させる画面を録画登録画面と称し、そこで入力された放送番組を録画候補番組（記録候補番組）と称している。
【０１０５】
自動登録部２０２は、録画候補番組を録画候補番組リストに自動的に（ユーザの操作なしに）登録する自動登録処理を制御する。即ち、自動登録部２０２は、記憶部２８に記憶されているメタデータを参照し、入力部２６で入力されたキーワードなどの録画番組条件に基づいて、ユーザが好むと思われる放送番組を録画候補番組リストに記憶させる（登録する）。
【０１０６】
以上のように、録画候補番組リストには、ユーザによって登録された録画候補番組と、自動で登録された（コンテンツ記録再生装置１が登録した）録画候補番組の両方が記憶されている。
【０１０７】
録画実行制御部２０３は、チューナ情報取得部２１１、判定部２１２、および録画制御部２１３を有し、記憶部２８の録画候補番組リストを参照して、録画の実行を制御する。
【０１０８】
チューナ情報取得部２１１は、コンテンツ記録部１３のチューナ管理部２２１、または外部チューナ２のチューナ管理部２４１から、必要に応じてチューナ情報を取得する。即ち、チューナ情報取得部２１１は、コンテンツ記録部１３または外部チューナ２がチューナを（何個）有しているかどうか、および、そのチューナが現在使用可能かどうか（未使用の状態であるかどうか）について取得する。チューナ情報取得部２１１は、ノートPC３についても同様にチューナ情報を取得する。
【０１０９】
判定部２１２は、記憶部２８の録画候補番組リストに登録されている各録画候補番組を監視し、その録画候補番組リストのなかに、録画開始時刻となった所定の録画候補番組（以下、所定録画候補番組と称する）があるとき、チューナ情報取得部２１１が取得したチューナ情報に基づいて、その所定録画候補番組の録画に使用するチューナがあるか否かを判定して、所定録画候補番組の録画を実行するか否かを決定する。ここで、録画開始時刻は、例えば、録画候補番組の放送開始時刻の所定時間（例えば、５秒）だけ早い時刻であるとする。
【０１１０】
録画制御部２１３は、判定部２１２により、所定録画候補番組の録画を実行すると決定された場合に、コンテンツ記録部１３の録画制御部２２２に制御信号を供給し、所定録画候補番組の録画を実行させる。
【０１１１】
ここで、録画制御部２１３は、コンテンツ取得部４５のチューナユニット５０−１乃至５０−３のいずれかが所定録画候補番組の録画に使用可能である場合には、チューナユニット５０−１乃至５０−３のいずれかに所定録画候補番組を受信させ、HDD４６に記録させる旨の制御信号を録画制御部２２２に供給する。
【０１１２】
一方、コンテンツ取得部４５のチューナユニット５０−１乃至５０−３のいずれも所定録画候補番組の録画に使用不可能で、外部チューナ２のチューナ部７５（ノートPC３のチューナ部１１０）が使用可能である場合、録画制御部２１３は、外部チューナ２（ノートPC３）に所定録画候補番組を受信させ、その圧縮コンテンツデータを主制御部１１に供給させ、コンテンツ記録部１３の録画制御部２２２に転送して、HDD４６に記録させる。
【０１１３】
なお、録画制御部２１３自身が、コンテンツ記録部１３、外部チューナ２、またはノートPC３で受信された所定録画候補番組を、ネットワーク１２またはネットワーク４を介して受信し、記憶部２８に記憶させることもできる。
【０１１４】
コンテンツ記録部１３のチューナ管理部２２１は、録画実行制御部２０３からの要求に応じて、チューナ情報や所定録画候補番組（の圧縮コンテンツデータ）を供給する。録画制御部２２２は、録画実行制御部２０３からの制御信号に基づいて、コンテンツ取得部４５で取得された所定録画候補番組をHDD４６に供給し、記録させる。また、録画制御部２２２は、録画実行制御部２０３から供給された所定録画候補番組をHDD４６に供給し、記録させる。
【０１１５】
外部チューナ２のチューナ管理部２４１は、録画実行制御部２０３からの要求に応じて、チューナ情報や所定録画候補番組（の圧縮コンテンツデータ）を録画実行制御部２０３に供給する。
【０１１６】
次に、図１２を参照して、ユーザ登録部２０１により実行される録画候補番組の登録処理について説明する。
【０１１７】
ユーザが、出力部２７に表示された録画登録画面を見て、録画される番組の候補である録画候補番組を入力すると、ステップＳ５１において、ユーザ登録部２０１は、入力部２６から供給された録画候補番組を記憶部２８の録画候補番組リストに登録し、処理を終了する。
【０１１８】
このように、コンテンツ記録再生装置１において、録画を所望する放送番組を録画候補番組リストに登録する時点では、登録される放送番組を受信するチューナがあるかどうかなどについては確認されず、入力された放送番組が、そのまま録画候補番組として録画候補番組リストに登録される。自動登録部２０２によって、キーワード（録画番組条件）に合致した放送番組が録画候補番組リストに登録される場合も同様に、登録される放送番組を受信するチューナがあるかどうかなどについては確認されず、キーワードに合致した録画候補番組が、そのまま録画候補番組として録画候補番組リストに登録される。
【０１１９】
次に、図１３のフローチャートを参照して、録画候補番組リストに登録されている録画候補番組の１つである所定録画候補番組の録画を実行する録画実行処理（所定記録候補番組の記録を実行する記録実行処理）について説明する。この処理は、所定録画候補番組の録画開始時刻となった時点で開始される。
【０１２０】
初めに、ステップＳ１０１において、チューナ情報取得部２１１は、チューナ管理部２２１およびチューナ管理部２４１から、チューナ情報を取得する。
【０１２１】
ステップＳ１０２において、判定部２１２は、チューナ情報に基づいて、チューナが接続されているか否かを判定する。ここで、チューナとは、コンテンツ記録部１３の（チューナ５１を含む構成とされている）チューナユニット５０、外部チューナ２のチューナ部７５、およびノートPC３のチューナ部１１０を表す。ステップＳ１０２で、チューナが１台も接続されていない（装着されていない）と判定された場合、録画に使用するチューナは存在しないので、処理を終了する。
【０１２２】
一方、ステップＳ１０２で、チューナが接続されていると判定された場合、ステップＳ１０３に進み、判定部２１２は、未使用のチューナが（少なくとも１つ）あるか否かを判定する。ステップＳ１０３で、未使用のチューナがないと判定された場合、ステップＳ１０４に進み、判定部２１２は、視聴に使用しているチューナがあるか否かを判定する。視聴と録画では、録画が優先され、仮に視聴に使用しているチューナがある場合には、そのチューナを録画のために使用することができる。
【０１２３】
ステップＳ１０４で、視聴に使用しているチューナがないと判定された場合、判定部２１２は、録画に使用するチューナは存在しないので、処理を終了する。
【０１２４】
一方、ステップＳ１０４で、視聴に使用しているチューナがあると判定された場合、または、ステップＳ１０３で、未使用のチューナがあると判定された場合、ステップＳ１０５に進み、判定部２１２は、所定録画候補番組の録画を実行することにして、使用するチューナを決定する。即ち、ステップＳ１０５において、判定部２１２は、未使用のチューナがある場合には、そのチューナを、所定録画候補番組の録画に使用するチューナと決定する。また、未使用のチューナがない場合には、判定部２１２は、視聴に使用しているチューナを、所定録画候補番組の録画に使用するチューナと決定する。
【０１２５】
ステップＳ１０６において、録画制御部２１３は、ステップＳ１０５の処理により決定されたチューナが視聴に使用されているチューナであるか否かを判定する。ステップＳ１０６で、決定されたチューナが視聴に使用されているチューナであると判定された場合、ステップＳ１０７に進み、録画制御部２１３は、視聴に使用されているチューナのチャンネルを所定録画候補番組のチャンネルに変更する。
【０１２６】
一方、ステップＳ１０６で、決定されたチューナが視聴に使用されているチューナではないと判定された場合、ステップＳ１０８に進み、録画制御部２１３は、決定されたチューナのチャンネルを所定録画候補番組のチャンネルに変更する。
【０１２７】
ステップＳ１０９において、録画制御部２１３は、コンテンツ記録部１３の録画制御部２２２に制御信号を供給し、所定録画候補番組の録画を開始させる。その後、所定録画候補番組の放送終了時刻（録画終了時刻）となった時点で、録画制御部２２２によるHDD４６への録画は終了する。
【０１２８】
以上のように、録画を所望する放送番組を録画候補番組リストに登録する時点では、その番組を受信するチューナがあるかどうかなどについては確認せず、録画候補番組の録画開始時刻となった時点で、録画に使用可能なチューナがあるか否かを判定し、検出された使用可能なチューナを用いて、録画候補番組の録画を実行させるので、録画を所望する放送番組を録画候補番組リストに登録する時点より後にチューナが増設された場合などに、その増設されたチューナをも使用して録画候補番組リストに登録されている録画候補番組を最大限録画することができる。即ち、使用可能なチューナを有効に利用することができる。
【０１２９】
なお、上述した例では、録画候補番組リストに登録されている録画候補番組のうち、録画開始時刻となった録画候補番組から順に、未使用のチューナが割り当てられることになる。
【０１３０】
換言すれば、録画候補番組リストに登録されている録画候補番組は、録画開始時刻（放送開始時刻）が早いほど録画の優先度が高いこととなり、ユーザ登録部２０１によって登録された録画候補番組であるか、自動登録部２０２によって登録された録画候補番組であるかについては、録画候補番組の優先度に差はないということになる。
【０１３１】
しかしながら、キーワードなどの録画条件によって自動で登録された録画候補番組よりも、ユーザが自ら入力することにより登録された録画候補番組の方が、優先度が高いのが一般的であり、より確実に録画されるべきである。
【０１３２】
そこで、図１４乃至図１６を参照して、ユーザが自ら入力することにより登録された録画候補番組の方が、自動で登録された録画候補番組より優先度が高くなるように、優先度が設定されている場合の録画実行処理について説明する。
【０１３３】
図１４は、各録画候補番組の優先度を含む録画候補番組リストの例を示している。
【０１３４】
録画候補番組リストでは、各録画候補番組について、放送開始時刻（日時）、終了時刻、録画チャンネル番号、録画チャンネル名、番組タイトル、ユーザ予約（ユーザ入力による登録）か否か、キーワード予約（キーワードによる自動登録）か否か、優先度、ジャンル、出演者、並びに、登録日時についての情報が登録される。
【０１３５】
図１４に示す例では、４つの録画候補番組が登録されている。即ち、４つの録画候補番組のなかで優先度が最も高い（優先度が１位の）録画候補番組として、「２００５年７月２０日１９時０１分」（登録日時）に「ユーザ予約」（ユーザ登録）によって登録された、放送開始時刻が「２００５年８月１日２０時２２分」で、終了時刻が「２１時３５分」、「１０」チャンネルの「関東テレビ」（録画チャンネル名）で放送される、「スポーツ１」のジャンルに属する、番組タイトルが「サッカー選手権２００５・女子『日本×アメリカ』」である放送番組が、録画候補番組リストに登録されている。
【０１３６】
また、優先度が次に高い（優先度が２位の）録画候補番組として、「２００５年７月２０日１９時０２分」（登録日時）に「ユーザ予約」（ユーザ登録）によって登録された、放送開始時刻が「２００５年８月１日１９時００分」で、終了時刻が「１９時２２分」、「１０」チャンネルの「関東テレビ」（録画チャンネル名）で放送される、「その他」のジャンルに属する、番組タイトルが「“サッカー選手権２００５”直前情報」である放送番組が、録画候補番組リストに登録されている。
【０１３７】
さらに、優先度が３位の録画候補番組として、「２００５年７月１５日０３時０１分」（登録日時）に「キーワード予約」（自動登録）によって登録された、放送開始時刻が「２００５年８月１日２０時００分」で、終了時刻が「２０時５４分」、「８」チャンネルの「プチテレビ」（録画チャンネル名）で放送される、「音楽」のジャンルに属する、番組タイトルが「ミュージックベスト」である放送番組が、録画候補番組リストに登録されている。
【０１３８】
また、優先度が４位の録画候補番組として、「２００５年７月１５日０３時０２分」（登録日時）に「キーワード予約」（自動登録）によって登録された、放送開始時刻が「２００５年８月１日１８時５５分」で、終了時刻が「１９時５４分」、「６」チャンネルの「テレビ中央」（録画チャンネル名）で放送される、「バラエティ」のジャンルに属する、番組タイトルが「フレンドパーク」である放送番組が、録画候補番組リストに登録されている。
【０１３９】
なお、ユーザ予約どうしの番組タイトル「サッカー選手権２００５・女子『日本×アメリカ』」の録画候補番組と、番組タイトル「“サッカー選手権２００５”直前情報」の録画候補番組とでは、登録日時の早い方が、優先度が高く設定されている。キーワード予約どうしの番組タイトル「ミュージックベスト」の録画候補番組と、番組タイトル「フレンドパーク」の録画候補番組についても同様である。
【０１４０】
図１５は、図１４の録画候補番組リストに登録されている各録画候補番組を、放送時間を横軸とするタイムチャートで表した図である。
【０１４１】
図１５に示されるように、優先度が２位の番組タイトル「“サッカー選手権２００５”直前情報」の録画候補番組は、優先度が４位の番組タイトル「フレンドパーク」の録画候補番組と、１９時乃至１９時２２分の録画時間帯で、登録が重複している。
【０１４２】
また、優先度が３位の番組タイトル「ミュージックベスト」の録画候補番組と、優先度が１位の番組タイトル「サッカー選手権２００５・女子『日本×アメリカ』」の録画候補番組とは、２０時２２分乃至２０時５４分の録画時間帯において、登録が重複している。
【０１４３】
そこで、最も単純に使用可能なチューナが１つである場合に、図１４の録画候補番組リストに登録された４つの録画候補番組を優先度に応じて録画を実行する録画実行処理について、図１５のタイムチャートを参照して説明する。なお、ここでは、説明を簡単にするため、録画開始時刻と放送開始時刻を同一時刻とする。
【０１４４】
最初に、録画実行制御部２０３は、現在時刻が２００５年８月１日１８時５５分となったときに、番組タイトル「フレンドパーク」の録画候補番組を検出する。この録画候補番組の録画時間帯は、１８時５５分乃至１９時５４分であり、この録画時間帯のうち、上述したように、番組タイトル「“サッカー選手権２００５”直前情報」の録画候補番組と１９時乃至１９時２２分の時間帯で重複が発生している。
【０１４５】
そこで、判定部２１２は、番組タイトル「フレンドパーク」の録画候補番組の優先度と、番組タイトル「“サッカー選手権２００５”直前情報」の録画候補番組の優先度を比較する。その結果、番組タイトル「フレンドパーク」の録画候補番組は、番組タイトル「“サッカー選手権２００５”直前情報」の録画候補番組より優先度が低いため、判定部２１２は、番組タイトル「フレンドパーク」の録画候補番組の録画を実行しないことを決定する。従って、番組タイトル「フレンドパーク」の録画候補番組は、録画されない。
【０１４６】
次に、録画実行制御部２０３は、現在時刻が２００５年８月１日１９時００分となったときに、番組タイトル「“サッカー選手権２００５”直前情報」の録画候補番組を検出する。この録画候補番組の録画時間帯は、１９時乃至１９時２２分であり、この録画時間帯のうち、上述したように、番組タイトル「フレンドパーク」の録画候補番組と１９時乃至１９時２２分の時間帯で重複が発生している。しかしながら、番組タイトル「“サッカー選手権２００５”直前情報」の録画候補番組は、番組タイトル「フレンドパーク」の録画候補番組より優先度が高いため、判定部２１２は、番組タイトル「“サッカー選手権２００５”直前情報」の録画候補番組の録画を実行することを決定する。これにより、番組タイトル「“サッカー選手権２００５”直前情報」の録画候補番組が録画される。
【０１４７】
さらに、現在時刻が２００５年８月１日２０時００分となったときに、録画実行制御部２０３は、番組タイトル「ミュージックベスト」の録画候補番組を検出する。この録画候補番組の録画時間帯は、２０時乃至２０時５４分であり、この録画時間帯のうち、上述したように、番組タイトル「サッカー選手権２００５・女子『日本×アメリカ』」の録画候補番組と２０時２２分乃至２０時５４分の時間帯で重複が発生している。そして、番組タイトル「ミュージックベスト」の録画候補番組は、番組タイトル「サッカー選手権２００５・女子『日本×アメリカ』」の録画候補番組より優先度が低いため、判定部２１２は、番組タイトル「“サッカー選手権２００５”直前情報」の録画候補番組の録画を実行しないことを決定する。従って、番組タイトル「ミュージックベスト」の録画候補番組は、録画されない。
【０１４８】
同様に、現在時刻が２００５年８月１日２０時２２分となったときに、録画実行制御部２０３は、番組タイトル「サッカー選手権２００５・女子『日本×アメリカ』」の録画候補番組を検出する。この録画候補番組の録画時間帯は、２０時２２分乃至２１時３５分であり、この録画時間帯のうち、上述したように、番組タイトル「ミュージックベスト」の録画候補番組と２０時２２分乃至２０時５４分の時間帯で重複が発生している。そして、番組タイトル「サッカー選手権２００５・女子『日本×アメリカ』」の録画候補番組は、番組タイトル「ミュージックベスト」の録画候補番組より優先度が高いため、判定部２１２は、番組タイトル「サッカー選手権２００５・女子『日本×アメリカ』」の録画候補番組の録画を実行することを決定する。これにより、番組タイトル「サッカー選手権２００５・女子『日本×アメリカ』」の録画候補番組が録画される。
【０１４９】
以上のようにして、重複している録画候補番組の数（図１５の例では、２つ）が、録画に使用可能なチューナの数（図１５の例では、１つ）より多い場合、判定部２１２は、所定録画候補番組の優先度を判定し、所定録画候補番組の録画を実行するか否かを決定する。より詳しく言えば、判定部２１２は、所定録画候補番組の優先度が、録画時間帯が重複している他の録画候補番組の優先度より高いか否かを判定し、所定録画候補番組の録画を実行するか否かを決定する。
【０１５０】
なお、録画候補番組リストに登録された各録画候補番組に対する優先度の設定方法（設定ルール）は、上述した、録画開始時刻による設定方法（第１の設定方法）、自動登録またはユーザ登録による設定方法（第２の設定方法）のほか、様々な設定方法を採用することができる。
【０１５１】
例えば、コンテンツ記録再生装置１が、ユーザが過去に視聴した放送番組についての情報を蓄積しておく。そして、録画時間帯が重複した場合に、各録画候補番組のジャンルを比較し、以前に同一のジャンルに属する放送番組をユーザが視聴した数（番組数）、または時間（視聴時間）の多い録画候補番組の優先度を高く設定する方法（第３の設定方法）、各録画候補番組の出演者を比較し、以前に同一の出演者の放送番組をユーザが視聴した数、または時間の多い録画候補番組の優先度を高く設定する方法（第４の設定方法）、または、各録画候補番組のチャンネルを比較し、以前に同一のチャンネルで放送された放送番組をユーザが視聴した数、または時間の多い録画候補番組の優先度を高く設定する方法（第５の設定方法）などがある。
【０１５２】
また、上述した第３乃至第５の設定方法において、蓄積した過去の情報を使用する有効期限を決めることができる。例えば、過去１ヶ月前までの情報を使用して、上述した第３乃至第５の設定方法を採用するなどとすることができ、この場合、ユーザの嗜好の変化に柔軟に対応することができる。
【０１５３】
なお、第１乃至第５の設定方法以外の設定方法でもよいし、上述した設定方法のいくつかを組み合わせた設定方法でもよい。さらに、いくつかの設定方法の組み合わせの場合、組み合わせられるそれぞれの設定方法に重み付けしてもよい。例えば、ジャンルで決定された優先度には３ポイント（求められた優先度の３倍）、出演者で決定された優先度には２ポイント（求められた優先度の２倍）、チャンネルで決定された優先度には１ポイント（求められた優先度の１倍）というようにポイントを付ける。
【０１５４】
より具体的には、ユーザが、所定録画候補番組と同一のジャンルの放送番組を３回過去に視聴していて、所定録画候補番組と同一の出演者の放送番組を５回過去に視聴していて、所定録画候補番組と同一のチャンネルの放送番組を１回だけ過去に視聴していたことがある場合、所定録画候補番組の優先度は、３（ジャンルポイント）×３（回数）＋２（出演者ポイント）×５（回数）＋１（チャンネルポイント）×１（回数）＝２０ポイントと設定される。
【０１５５】
次に、図１６のフローチャートを参照して、優先度を考慮した録画実行処理である優先録画実行処理について説明する。この処理は、図１３で示した処理と同様に、所定録画候補番組の録画開始時刻となった時点で開始される。
【０１５６】
初めに、ステップＳ１２１において、チューナ情報取得部２１１は、チューナ管理部２２１およびチューナ管理部２４１から、チューナ情報を取得する。
【０１５７】
ステップＳ１２２において、判定部２１２は、チューナ情報に基づいて、現在使用可能なチューナ数（チューナの最大数）を認識する。
【０１５８】
ステップＳ１２３において、判定部２１２は、録画時間帯が所定録画候補番組と重複する他の録画候補番組が、録画候補番組リストにあるか否かを判定する。ステップＳ１２３で、録画時間帯が所定録画候補番組と重複する他の録画候補番組が、録画候補番組リストにないと判定された場合、ステップＳ１２４乃至Ｓ１２６をスキップし、ステップＳ１２７に進む。
【０１５９】
一方、ステップＳ１２３で、録画時間帯が重複する他の録画候補番組が録画候補番組リストにあると判定された場合、ステップＳ１２４に進み、判定部２１２は、重複している録画候補番組数が、現在使用可能なチューナ数より多いか否かを判定する。ステップＳ１２４で、重複している録画候補番組数が、現在使用可能なチューナ数以下であると判定された場合、ステップＳ１２７に進む。
【０１６０】
一方、ステップＳ１２４で、重複している録画候補番組数が現在使用可能なチューナ数より多いと判定された場合、ステップＳ１２５に進み、判定部２１２は、録画時間帯が重複している他の録画候補番組の優先度を、録画候補番組リストから取得する。
【０１６１】
そして、ステップＳ１２６において、判定部２１２は、所定録画候補番組の優先度が、録画時間帯が重複している他の録画候補番組の優先度よりも高いか否かを判定する。ステップＳ１２６で、所定録画候補番組の優先度が、録画時間帯が重複している他の録画候補番組の優先度よりも低いと判定された場合、処理が終了される。即ち、所定録画候補番組の優先度が、録画時間帯が重複している他の録画候補番組の優先度よりも低い場合には、所定録画候補番組の録画は実行されない。
【０１６２】
一方、ステップＳ１２６で、所定録画候補番組の優先度が、録画時間帯が重複している他の録画候補番組の優先度よりも高いと判定された場合、ステップＳ１２７に進み、判定部２１２は、所定録画候補番組の録画を実行することを決定し、その旨を録画制御部２１３に供給する。録画制御部２１３は、コンテンツ記録部１３の録画制御部２２２に制御信号を供給し、所定録画候補番組の録画を開始させる。その後、所定録画候補番組の放送終了時刻（録画終了時刻）となった時点で、録画制御部２２２によるHDD４６への録画は終了する。
【０１６３】
以上のように、所定録画候補番組（所定記録候補番組）の録画時間帯（記録時間帯）が、録画候補番組リストの他の録画候補番組と重複し、かつ、重複している録画候補番組数が現在使用可能なチューナ数より多い場合には、判定部２１２が、所定録画候補番組の優先度を判定し、録画を実行するか否かを決定する。
【０１６４】
さて、上述した例では、録画候補番組の登録処理（図１２）でも説明したように、録画開始時刻でのチューナの数が未確定であるという前提の下、録画を所望する放送番組を録画候補番組リストに登録する時点では、録画候補番組の重複を確認しない。従って、録画候補番組リストに登録されている全ての録画候補番組が確実に録画されることは保証されていない。
【０１６５】
そこで、ユーザ登録部２０１は、録画実行制御部２０３の各部からチューナ情報などを必要に応じて取得し、録画登録画面によって入力された録画を所望する放送番組が、登録時点で録画されないと予想される場合には、警告のメッセージを表示したり、録画候補番組リストへの登録を中止し、その旨をユーザにアナウンスすることにより、ユーザの認識とは逆に録画が実行されていなかったということ（録画が実行されているとユーザが思っていたのに実際には録画されていないということ）を防止することができる。
【０１６６】
ここで、録画登録画面によって入力された録画を所望する放送番組は、以下に後述するように、録画候補番組リストに必ず登録されるとは限らないので、上述した、確実に登録される録画候補番組と区別して、登録所望番組と称する。
【０１６７】
また、この処理は、ユーザが登録した放送番組を確実に録画するための処理であるので、自動登録された放送番組については録画が実行されなくても問題としない。即ち、録画候補番組リストでは、自動登録された録画候補番組よりもユーザ登録された録画候補番組の優先度が高いという前提である。
【０１６８】
図１７は、登録所望番組を録画候補番組リストに登録する時点で録画されないと予想される場合に、警告のメッセージを表示するようにした録画候補番組の登録処理のフローチャートである。この処理は、図１２における場合と同様に、例えば、ユーザが、出力部２７に表示された録画登録画面を見て、登録所望番組を入力した場合に開始される。
【０１６９】
初めに、ステップＳ１４１において、チューナ情報取得部２１１は、チューナ管理部２２１およびチューナ管理部２４１から、チューナ情報を取得し、現時点で接続されているチューナ数を取得する。
【０１７０】
ステップＳ１４２において、判定部２１２は、録画候補番組リストに登録されている録画候補番組の中に、登録所望番組と放送時間帯（録画時間帯）が重複する録画候補番組があるか否かを判定する。
【０１７１】
ステップＳ１４２で、登録所望番組と放送時間帯が（一部でも）重複する録画候補番組があると判定された場合、ステップＳ１４３に進み、判定部２１２は、重複している録画候補番組数が、接続されているチューナ数より多いか否かを判定する。ステップＳ１４３で、重複している録画候補番組数が、接続されているチューナ数より多いと判定された場合、ステップＳ１４４に進み、ユーザ登録部２０１は、録画が実行されない可能性がある旨の警告メッセージ（例えば、「この番組は録画されない可能性があります。」など）をディスプレイに表示させ、ステップＳ１４５に進む。
【０１７２】
一方、ステップＳ１４３で、重複している録画候補番組数が、接続されているチューナ数以下であると判定された場合、または、ステップＳ１４２で、登録所望番組と放送時間帯が重複する録画候補番組がないと判定された場合にも、ステップＳ１４５に進み、ユーザ登録部２０１は、入力部２６から供給された登録所望番組を、録画候補番組として記憶部２８の録画候補番組リストに登録し、処理を終了する。
【０１７３】
以上のように、図１７に示した録画候補番組の登録処理では、ユーザ登録部２０１は、登録所望番組の放送時間帯が録画候補番組リストの録画候補番組の録画時間帯と重複し、かつ、重複している録画候補番組の数が、接続されているチューナの数より多い場合、警告を報知して、登録所望番組を録画候補番組として録画候補番組リストに登録する。
【０１７４】
なお、ユーザ登録部２０１は、既に録画候補番組リストに登録されている録画候補番組を優先し、後から録画候補番組リストに登録される番組、即ち、ステップＳ１４５の処理で登録される登録所望番組の優先度を低くして録画候補番組リストに登録する。従って、ステップＳ１４５の処理で登録された登録所望番組は、その登録時より、コンテンツ記録再生装置１に接続されている（装着されているものも含む）チューナの数が増加した場合に、録画することが可能となる。
【０１７５】
また、図１４の録画候補番組リストをディスプレイに表示させ、ステップＳ１４５の処理で登録された登録所望番組の優先度と、既に録画候補番組リストに登録されている録画候補番組の優先度の順位を変更（交換）させることが可能である。
【０１７６】
次に、図１８のフローチャートを参照して、登録所望番組を録画候補番組リストに登録する時点で録画されないと予想される場合には、録画候補リストへの登録をしないようにした録画候補番組の登録処理について説明する。
【０１７７】
初めに、ステップＳ１６１において、チューナ情報取得部２１１は、チューナ管理部２２１およびチューナ管理部２４１から、チューナ情報を取得し、現時点で接続されているチューナ数を取得する。
【０１７８】
ステップＳ１６２において、判定部２１２は、録画候補番組リストに登録されている録画候補番組の中に、登録所望番組と放送時間帯（録画時間帯）が重複する録画候補番組があるか否かを判定する。
【０１７９】
ステップＳ１６２で、登録所望番組と放送時間帯が（一部でも）重複する録画候補番組があると判定された場合、ステップＳ１６３に進み、判定部２１２は、重複している録画候補番組数が、接続されているチューナ数より多いか否かを判定する。ステップＳ１６３で、重複している録画候補番組数が、接続されているチューナ数より多いと判定された場合、ステップＳ１６４に進み、ユーザ登録部２０１は、登録所望番組の登録をできない旨のメッセージ（例えば、「録画することができません。」など）をディスプレイに表示させ、処理を終了する。
【０１８０】
一方、ステップＳ１６３で、重複している録画候補番組数が、接続されているチューナ数以下であると判定された場合、または、ステップＳ１６２で、登録所望番組と放送時間帯が重複する録画候補番組がないと判定された場合、ステップＳ１６５に進み、ユーザ登録部２０１は、入力部２６から供給された登録所望番組を、録画候補番組として記憶部２８の録画候補番組リストに登録し、処理を終了する。
【０１８１】
以上のように、図１８に示した録画候補番組の登録処理では、ユーザ登録部２０１は、登録所望番組の放送時間帯が録画候補番組リストの録画候補番組の録画時間帯と重複し、かつ、重複している録画候補番組の数が、接続されているチューナの数より多い場合、登録所望番組を録画候補番組リストに登録しない。
【０１８２】
なお、図１７および図１８に示した録画候補番組の登録処理のいずれにおいても、所定の時刻において、ユーザ登録によって録画候補番組リストに登録された録画候補番組の数より使用可能なチューナの数が多い場合、かつ、自動登録による録画候補番組が登録されている場合には、自動登録により録画候補番組リストに登録された録画候補番組も、勿論、録画される。
【０１８３】
以上、説明したように、図４の情報処理システムでは、録画を所望する放送番組を予約（登録）する時点で、録画が可能かどうかを判断せずに、録画を実行する時点で、録画が可能かどうかを判断することにより、録画に使用可能なチューナが、予約（登録）する時点より後に追加された（装着され、または、接続された）場合に、その追加されたチューナを有効に利用することができる。
【０１８４】
なお、図４の情報処理システムでは、チューナを管理するコンテンツ記録再生装置１に、チューナ機能を有するデバイスとしての外部チューナ２およびノートPC３が接続されている例を説明したが、コンテンツ記録再生装置１に接続される装置が、チューナ機能を有するその他のデバイス、例えば、ハードディスクレコーダ、DVDレコーダ、またはテレビジョン受像機などであっても同様の処理を行うことができる。この場合にも、接続された互いの装置が、DLNAガイドラインが規定するプロトコルによる通信を相互に行うことにより、チューナの有無および使用の可否、並びにコンテンツデータを供給することができる。
【０１８５】
また、装置間の通信は、DLNAガイドラインが規定するプロトコルによる通信に限らず、例えば、独自プロトコルによる通信などでもよいが、多様な装置とのネットワークを構築するためには、標準化されたプロトコルを採用するのが望ましい。
【０１８６】
上述した例では、画像と音声の両方が含まれている放送番組を記録媒体に記録（録画）する例について説明したが、画像または音声のいずれか一方だけで構成される番組を記録媒体に記録する場合でも同様に処理を行うことができる。
【０１８７】
ところで、上述した一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１８８】
この記録媒体は、装置本体とは別に、ユーザにプログラムを提供するために配布される、プログラムが記録されている磁気ディスク（フロッピディスクを含む）、光ディスク（CD-ROM（Compact Disk-Read Only Memory)，DVD（Digital Versatile Disk）を含む）、光磁気ディスク、もしくは半導体メモリなどよりなる図６のリムーバブル記録媒体３１により構成されるだけでなく、装置本体に予め組み込まれた状態でユーザに提供される、プログラムが記録されている図６のROM２２または図７のROM４２や、図６の記憶部２８または図７のHDD４６に含まれるハードディスクなどで構成される。
【０１８９】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【０１９０】
また、本明細書において、システムとは、複数の装置により構成される装置全体を表すものである。
【０１９１】
なお、本発明の実施の形態は、上述した実施の形態に限定されるものではなく、本発明の要旨を逸脱しない範囲において種々の変更が可能である。
【図面の簡単な説明】
【０１９２】
【図１】従来の録画予約処理を説明するフローチャートである。
【図２】従来の録画実行処理を説明するフローチャートである。
【図３】従来のその他の録画予約処理を説明するフローチャートである。
【図４】本発明を適用した情報処理システムの一実施の形態の構成例を示すブロック図である。
【図５】コンテンツ記録再生装置１のハードウエア構成例を示すブロック図である。
【図６】主制御部１１のハードウエア構成例を示すブロック図である。
【図７】コンテンツ記録部１３のハードウエア構成例を示すブロック図である。
【図８】外部チューナ２のハードウエア構成例を示すブロック図である。
【図９】ノートPC３のハードウエア構成例を示すブロック図である。
【図１０】DLNAガイドラインが規定するプロトコルによる通信について説明する図である。
【図１１】図４の情報処理システムの機能的構成例を示すブロック図である。
【図１２】録画候補番組の登録処理を説明するフローチャートである。
【図１３】録画実行処理を説明するフローチャートである。
【図１４】録画候補番組リストの例を示す図である。
【図１５】図１４の録画候補番組リストを説明する図である。
【図１６】優先録画実行処理を説明するフローチャートである。
【図１７】録画候補番組の登録処理を説明するフローチャートである。
【図１８】その他の録画候補番組の登録処理を説明するフローチャートである。
【符号の説明】
【０１９３】
１  コンテンツ記録再生装置，  ２  外部チューナ，  ３  ノートPC，  ４  ネットワーク，  １１  主制御部，  １３  コンテンツ記録部，  ２１  CPU，  ２８  記憶部，  ２９  通信部，  ４１  CPU，  ４５  コンテンツ取得部，  ４６  HDD，  ５０−１乃至５０−３  チューナユニット，  ７１  CPU，  ７５  チューナ部，  １０１  CPU，  １１０  チューナ部，  ２０１  ユーザ登録部，  ２０２  自動登録部，  ２０３  録画実行制御部，  ２１１  チューナ情報取得部，  ２１２  判定部，  ２１３  録画制御部，  ２２１  チューナ管理部，  ２２２  録画制御部，  ２４１  チューナ管理部
【図１】
0004618503.tif 000002
【図２】
0004618503.tif 000003
【図３】
0004618503.tif 000004
【図４】
0004618503.tif 000005
【図５】
0004618503.tif 000006
【図６】
0004618503.tif 000007
【図７】
0004618503.tif 000008
【図８】
0004618503.tif 000009
【図９】
0004618503.tif 000010
【図１０】
0004618503.tif 000011
【図１１】
0004618503.tif 000012
【図１２】
0004618503.tif 000013
【図１３】
0004618503.tif 000014
【図１４】
0004618503.tif 000015
【図１５】
0004618503.tif 000016
【図１６】
0004618503.tif 000017
【図１７】
0004618503.tif 000018
【図１８】
0004618503.tif 000019